(57)【特許請求の範囲】
【請求項１】
寝台の天板上に載置され、静磁場空間中に置かれた被検体からのＭＲ信号を、前記被検体の近傍に配置されるＲＦコイルによって検出し、このＲＦコイルによって検出したＭＲ信号に基づいて、前記被検体のＭＲＩ画像データを生成する磁気共鳴イメージング装置において、
前記ＲＦコイルは前記天板の所定接続ポートにコネクタを介して接続される所定長さのケーブルを有し、
前記ケーブルは、当該ケーブルの被覆材料を形状記憶材料で形成した形状記憶手段によって、前記ＲＦコイルの取り付け位置と前記接続ポートとの間の距離に応じて所定の形状を呈するようにされることを特徴とする磁気共鳴イメージング装置。
【請求項２】
前記形状記憶手段は、前記ＲＦコイル側に固定され前記接続ポート側へ向けて延出する第１のガイド部材と、前記接続ポート近傍に固定され前記ＲＦコイル側に延出する第２のガイド部材とから成り、前記ケーブルを、前記第１のガイド部材の先端部と、前記第２のガイド部材の先端部との間を横切るように通して、前記ＲＦコイルと前記接続ポートとの間に接続することを特徴とする請求項１に記載の磁気共鳴イメージング装置。
【請求項３】
前記形状記憶手段は、前記ケーブルに係合させたキャタピラ状の屈曲自在のケーブルガイド部材であることを特徴とする請求項１に記載の磁気共鳴イメージング装置。
【請求項４】
前記ＲＦコイルが複数のケーブルを有するものである場合、前記形状記憶手段によって前記各ケーブルは相互に接触または交差しないようにされていることを特徴とする請求項１記載の磁気共鳴イメージング装置。
【請求項５】
前記寝台の天板上に前記被検体を載置する中空のマット部材が載置され、この中空のマット部材の中に前記ケーブルおよび前記形状記憶手段を配置することを特徴とする請求項１ないし請求項４のいずれか１項に記載の磁気共鳴イメージング装置。
【発明の詳細な説明】
【技術分野】
【０００１】
本発明は、磁気共鳴イメージング装置に係り、特に被検体の近傍に配置されるＲＦコイ
ルのケーブル捌き手段を改良した磁気共鳴イメージング装置に関する。
【背景技術】
【０００２】
磁気共鳴イメージング装置は、被検体内から生じる磁気共鳴信号（以下、ＭＲ信号とい
う。）を用いた画像診断装置であり、解剖学的診断情報のみならず生化学的情報や機能診
断情報など多くの診断情報を得ることができるため、今日の画像診断の分野では不可欠の
ものとなっている。この磁気共鳴イメージング装置では、静磁場中に置かれた生体組織の
原子核スピンを、そのラーモア周波数をもつ高周波信号で励起し、この励起に伴って発生
するＭＲ信号に基づいてＭＲＩ画像データ（以下、単に画像データという。）を再構成し
ている。
【０００３】
磁気共鳴イメージング装置によって高画質の画像データを生成するためには、生体から
の微弱なＭＲ信号を効率よく検出する必要がある。このＭＲ信号の検出に使用されるのが
高周波コイル（以下、ＲＦコイルという。）であり、ＲＦコイルには鞍型、ソレノイド型
、スロットレゾネータ型、バードケイジ型など各種のものが普及していて、使用する周波
数帯域、診断対象部位、磁石の種類によって最適な形状のものが選択されるようになって
いる。
【０００４】
ところで、生体からの微弱なＭＲ信号を効率よく検出するためには、ＲＦコイルを被検
体により近づけて設置することが望ましい。しかしながら、ＲＦコイルは信号ケーブルに
よって磁気共鳴イメージング装置本体に設けられている送受信部と電気的に接続されてお
り、この信号ケーブルに磁気共鳴イメージング装置から発生するＲＦ波が照射された場合
、誘導電流が発生し、この誘導電流に起因する発熱によって、検査中の被検体に熱傷を生
ずる可能性がある。このような不都合を排除するために、ＲＦコイルに接続された信号ケ
ーブルを、被検体に対して常に所定距離だけ離して配設できるように、天板の上面にガイ
ド溝を有する支持部を備えたものが提案されている（例えば、特許文献１参照。）。これ
により、信号ケーブルの被検体への接触を防止し、安全性が確保できる。
【特許文献１】特開２００７−６８９８４号公報
【発明の開示】
【発明が解決しようとする課題】
【０００５】
ところで、特許文献１に記載されているように、ガイド溝にＲＦコイルに接続された信
号ケーブルを配設することにより、信号ケーブルが被検体に接触することを防止して安全
性は高められるものの、天板に対するＲＦコイルの取り付け位置を変更した場合には、信
号ケーブルにたるみを生じたり、信号ケーブルが交差したりすることによって、状態が変
わってしまい、再構成される画像の画質が変化したり、交差した部分で発熱したりすると
いう新たな問題を生ずるものであった。
【０００６】
そこで、図７に示すように、寝台の天板上に敷かれるマット（被検体はこのマットに寝
た状態で検査を受ける）６００に溝６１０を形成したケーブル捌き機構を用いて、ＲＦコ
イルの信号ケーブル６２０をこの溝６１０の周辺に沿わせて敷設することによって、信号
ケーブル６２０にたるみを生じたり交差したりすること防止する試みもなされていた。し
かしながら、このようなケーブル捌き機構を用いる場合は、セッティングが面倒で時間も
かかるため、医療スタッフの負担が増加するという問題があった。
【０００７】
本発明は、このような問題を解決するためになされたものである。
【課題を解決するための手段】
【０００８】
上記課題を解決するため、請求項１に記載の発明は、寝台の天板上に載置され、静磁場空間中に置かれた被検体からのＭＲ信号を、前記被検体の近傍に配置されるＲＦコイルによって検出し、このＲＦコイルによって検出したＭＲ信号に基づいて、前記被検体のＭＲＩ画像データを生成する磁気共鳴イメージング装置において、前記ＲＦコイルは前記天板の所定接続ポートにコネクタを介して接続される所定長さのケーブルを有し、前記ケーブルは、当該ケーブルの被覆材料を形状記憶材料で形成した形状記憶手段によって、前記ＲＦコイルの取り付け位置と前記接続ポートとの間の距離に応じて所定の形状を呈するようにされることを特徴とする。
【発明の効果】
【００１５】
以上説明した通り、本発明によれば、ケーブルをケーブル捌き機構の溝に沿って敷設するような面倒な手間から開放されるので医療スタッフの負担を軽減できるとともに、ＲＦコイルと接続ポートとの間を接続するケーブルが接触したり絡まったりすることも防止され、再構成される画像の画質を低下させるようなことも防止できる。
【発明を実施するための最良の形態】
【００２２】
以下、本発明に係る磁気共鳴イメージング装置の実施例について、図１ないし図６を参
照して詳細に説明する。なお、これらの図において、同一部分には同一符号を付して示し
てある。
【００２３】
図１は、本発明に係る磁気共鳴イメージング装置の一実施例の全体構成を示すブロック
図である。
【００２４】
磁気共鳴イメージング装置１００は、磁場を発生させる静磁場発生部１および勾配磁場
発生部２と、後述するＲＦコイル３１を介してＲＦパルスの照射とＭＲ信号の受信を行う
送受信部３と、画像再構成による画像データの生成とその保存を行う演算・記憶部４と、
被検体１５０を載置する天板５を支持し、この天板５を所定の撮影位置へ移動させるため
の移動機構部１０を備えた寝台（図示せず）と、被検体１５０の撮影部位に近づけてＲＦ
コイル３１を配置するために、天板５に設けたＲＦコイル支持体６と、種々のデータやコ
マンドを入力するための入力部７と、演算・記憶部４にて生成された画像データを表示す
る表示部８と、上述の各ユニットを制御する制御部９を備えている。
【００２５】
静磁場発生部１は、例えば、超電導磁石である主磁石１１と、この主磁石１１に電流を
供給する静磁場電源１２を有し、被検体１５０の周囲に強力な静磁場を形成する。また、
勾配磁場発生部２は、互いに直交するＸ、ＹおよびＺ軸方向の勾配磁場を形成するための
勾配磁場コイル２１と、これらの勾配磁場コイル２１に電流を供給する勾配磁場電源２２
を備えている。
【００２６】
勾配磁場電源２２には制御部９によって勾配磁場制御信号が供給され、被検体１５０が
置かれた空間の符号化が行われる。すなわち、勾配磁場電源２２からＸ、Ｙ、Ｚ軸の勾配
コイルに供給されるパルス電流を、上述の勾配磁場制御信号に基づいて制御することによ
り、Ｘ、Ｙ、Ｚ軸方向の勾配磁場は合成され、互いに直交するスライス選択勾配磁場、位
相エンコード勾配磁場および読み出し（周波数エンコード）勾配磁場を任意の方向に設定
することが可能となる。そして、各方向の勾配磁場は、主磁石１１による静磁場に重畳さ
れて被検体１５０に加えられる。
【００２７】
なお、主磁石１１や勾配磁場コイル２１は架台（ガントリー）内に収納されて、静磁場
および傾斜磁場を形成する。そして架台には、この静磁場および傾斜磁場の形成領域に通
じるように開口部が形成されており、ここに寝台の天板５が移動機構部１０によって挿入
される。すなわち、天板５に載置された被検体１５０が、静磁場および傾斜磁場の形成領
域に位置づけられる。
【００２８】
送受信部３は、上述の静磁場および傾斜磁場の形成領域に置かれた被検体１５０にＲＦ
パルスを照射するとともに、被検体１５０からのＭＲ信号を検出するためのＲＦコイル３
１と、ＲＦコイル３１に接続された送信器３２および受信器３３を備えている。なお、Ｒ
Ｆコイル３１は、天板５に設けたＲＦコイル支持体６に支持させて、被検体１５０の任意
の撮影部位に近づけて配置される。
【００２９】
送信器３２は、図示しない基準信号発生部、変調器および電力増幅器などを備えており
、主磁石１１の静磁場強度によって決定される磁気共鳴周波数（ラーモア周波数）と同じ
周波数を有した基準信号を選択励起波形で変調し、得られた高周波電流をＲＦコイル３１
に供給して被検体１５０にＲＦパルスを照射する。
【００３０】
一方受信部３３は、ＲＦコイル３１によって検出されたＭＲ信号に対して、中間周波数
、位相検波、更にはフィルタリングなどの信号処理を行った後、Ａ／Ｄ変換を行う。
【００３１】
演算・記憶部４は、高速演算回路４１と記憶回路４２を有し、記憶回路４２はＭＲ信号
を保存するＭＲ信号記憶回路４２１と、画像データを保存する画像データ記憶回路４２２
を備えている。そして、ＭＲ信号記憶回路４２１には、受信器３３によって中間周波変換
、位相検波、更にはＡ／Ｄ変換されたＭＲ信号が保存され、画像データ記憶回路４２２に
は、高速演算回路４１によって生成された画像データが保存される。一方、高速演算回路
４１は、ＭＲ信号記憶回路４２１に一旦保存されたＭＲ信号に対して２次元フーリエ変換
による再構成処理を行い、実空間の画像データを生成する。
【００３２】
天板５に設けたＲＦコイル支持体６の所定位置には、接続ポート６１が備えられている
。そして、ＲＦコイル支持体６の適宜の位置に設置されるＲＦコイル３１は、ＲＦコイル
３１の信号ケーブル３５（図２参照）を介して接続ポート６１に接続される。また、接続
ポート６１は、送信器３２および受信器３３にケーブルを介して接続されている。
【００３３】
天板５は図示しない寝台上にスライド可能に設置されており、その長手方向に被検体１
５０が寝かせて載置される。そして、被検体１５０の体軸方向の任意の位置に天板５を移
動することによって、被検体１５０に対する撮影位置を設定する。すなわち、天板５は、
主磁石１１などが収納された架台（ガントリー）の開口部に対して挿入可能に構成され、
移動機構部１０によって体軸方向に移動することによって、被検体１５０の任意の撮影部
位に近づけて配置したＲＦコイル３１を、勾配磁場領域の略中央に位置づける。
【００３４】
入力部７は、操作卓上にスイッチやキーボード、マウスなどの各種入力デバイスおよび
表示パネルを備えてり、医療スタッフである操作者によって、各種被検体情報や撮影開始
指示信号などの入力、撮影方式およびパルスシーケンスなどの撮影条件の設定、更には、
天板５の移動に対する指示信号などが入力される。
【００３５】
表示部８は、図示しない表示用画像データ記憶回路、変換回路、モニタなどを備えてい
る。そしてこの表示用画像データ記憶回路に、演算・記憶部４の画像データ記憶回路４２
２に保存された画像データが、制御部９を介して供給される。この表示用画像データ記憶
回路に供給された画像データは、同様に入力部７から入力される被検体情報などの付帯情
報と合成され、更に、前記変換回路においてテレビフォーマット変換とＤ／Ａ変換が行わ
れ、その後ＣＲＴ或いは液晶などで構成されるモニタに表示される。
【００３６】
制御部９は、主制御回路９１とシーケンス制御回路９２および移動機構制御回路９３を
備えている。主制御回路９１は、図示しないＣＰＵと記憶回路を備え、磁気共鳴イメージ
ング装置１００を統括して制御する機能を有している。
【００３７】
主制御回路９１の記憶回路には、入力部７において設定された上述の撮影条件や表示条
件などに関する情報が保存される。そして、主制御回路９１のＣＰＵは、入力部７におい
て設定された上述の情報に基づき、シーケンス制御回路９２に対しパルスシーケンス情報
（例えば、勾配磁場コイル２１やＲＦコイル３１に印加する高周波電流の大きさ、印加時
間、印加タイミングなどに関する情報）を供給する。
【００３８】
シーケンス制御回路９２も図示しないＣＰＵと記憶回路を備えている。そして、主制御
回路９１からシーケンス制御回路９２へ供給されたパルスシーケンス情報をここの記憶回
路に一旦保存した後、このパルスシーケンスに従って勾配磁場電源２２、送信器３２およ
び受信器３３を制御する。
【００３９】
移動機構制御回路９３も図示しないＣＰＵと記憶回路を備えている。そして、入力部７
から主制御回路９１を介して供給された被検体１５０の体軸方向に対する移動指示信号に
基づいて天板５を所定距離だけ移動するための制御信号を生成して移動機構部１０へ供給
する。すなわち、この制御信号を受けて移動機構部１０は、被検体１５０の撮影位置（Ｒ
Ｆコイル３の位置）が静磁場および勾配磁場の領域内に配置されるように天板５を移動さ
せる。
【００４０】
次に、本発明の実施形態における特徴的な構成である、ＲＦコイル３１を接続ポート６
１に接続するためのケーブル捌き手段について説明する。
【００４１】
図２は、ＲＦコイル３１を接続ポート６１に接続するための信号ケーブルに関する基本
的な考え方を説明するために示したもので、寝台の天板５に載置された被検体１５０を横
方向から見た図である。すなわち、被検体１５０の所望の撮影部位に近づけて、ＲＦコイ
ル３１をＲＦコイル支持体６に配置することになり、ＲＦコイル３１の信号ケーブル３５
はＲＦコイル支持体６に設けられている接続ポート６１に接続される。なお、ＲＦコイル
３１は天板５に直接設置しても良く、接続ポート６１も天板５に設けられていても良い。
また、信号ケーブル３５を１本の線で示しているが、これは図が複雑になるのを避けるた
めに簡略化したためであって、実際にはそれぞれ信号の授受などに必要な数の芯線を備え
ていることは言うまでもなく、以下に説明する幾つかの実施例についても同様である。
【００４２】
ここで、図２（ａ）は、ＲＦコイル３１を被検体１５０の胸部近くに配置した様子を示
しており、この場合は、ＲＦコイル３１から接続ポート６１までの距離は長くなる。一方
。図２（ｂ）は、ＲＦコイル３１を被検体１５０の腰部近くに配置した様子を示しており
、この場合は、ＲＦコイル３１から接続ポート６１までの距離はかなり短くなる。従って
、ＲＦコイル３１の信号ケーブル３５の長さが一定であると（通常は一定である）、例え
ば被検体１５０の頭部に配置したＲＦコイル３１を接続ポート６１に接続できるように信
号ケーブル３５の長さを設定しておいたとすると、ＲＦコイル３１を被検体１５０の頭部
に配置したとき信号ケーブル３５は、ＲＦコイル３１から接続ポート６１まで直線状に張
られた状態となり、たるみを生じたり交差したりすることはない。しかし、このＲＦコイ
ル３１を被検体１５０の腰部に配置したときは、ＲＦコイル３１から接続ポート６１まで
の距離が短いために、従来のままであれば、信号ケーブル３５はたるんでしまい、屈曲し
て交差したり接触したりすることになる。
【実施例１】
【００４３】
そこで本発明では、ＲＦコイル３１の信号ケーブル３５を、一端を固定して他端を引っ
張ったときに略直線状の最大の長さになるとともに、引っ張る力を除去したときには、予
め記憶させた形状に縮んで最小の長さになるように形成する。勿論、最小の長さに縮んだ
状態では信号ケーブル３５自体が交差したり接触したりすることのない形状に加工する。
このような信号ケーブル３５は、例えば特開平９−２３５３２９号公報に記載されている
ような形状記憶高分子材料を、導体の被覆材料として用いて、所望の形状を記憶させるこ
とによって実現される。
【００４４】
この形状を記憶させたケーブルとしては、電話器や家庭用電気機器に使用されているカ
ールコードが良く知られているが、カールコードは螺旋状に巻かれているため、縮んだ状
態ではコード自体が互いに接触することとなり、これをＲＦコイル３１用の信号ケーブル
３５として使用すると、接触部分で発熱したり画像の質を低下させたりするおそれがある
ために、ＲＦコイル３１用の信号ケーブル３５としての使用には不適であった。そこで、
本発明では、信号ケーブル３５として、力が加わらない状態では、ケーブル自体が接触す
ることなく縮んだ状態の最小の長さとなる形状を記憶させ、引っ張るに従って直線状に伸
びて最大の長さになるようにしたものを使用するものである。
【００４５】
その一例を図３に示してある。図３は、ＲＦコイル３１と信号ケーブル３５およびコネ
クタ３６の接続された状態を示した平面図であり、信号ケーブル３５の一端はＲＦコイル
３１に結合されており、他端は接続ポート６１に接続するためのコネクタ３６に結合され
ている。
【００４６】
ここで、図３（ａ）は、所定形状を記憶させた信号ケーブル３５の定常状態を示したも
のである。すなわち、信号ケーブル３５に力が加わっていない定常状態では、信号ケーブ
ル３５は縮んだ状態を呈して最小の長さとなり、かつこの状態ではケーブル自体が接触し
たり絡まったりすることのない形状を記憶させたものとなっている。そこで、図３（ａ）
に矢印を付して示したように、コネクタ３６を固定した状態でＲＦコイル３１を引っ張っ
たり、引っ張る力を緩めたりすると、信号ケーブル３５の形は徐々に変化する。そして、
信号ケーブル３５が最も引っ張られた状態では、図３（ｂ）に示すように、直線状の最大
長さに伸びることになる。
【００４７】
従って、固定された位置にある接続ポート６１に対して、ＲＦコイル３１の設置位置を
適宜変更しても（すなわち、ＲＦコイル３１と接続ポート６１の間の距離が適宜変わって
も）、距離に応じて信号ケーブル３５は一義的に定まる形状に変化する。よって、信号ケ
ーブル３５をケーブル捌き機構の溝に沿って敷設するような手間が不要となるので医療ス
タッフの負担を軽減できるとともに、ＲＦコイル３１と接続ポート６１との間を接続する
信号ケーブル３５が接触したり絡まったりすることが防止できる。
【実施例２】
【００４８】
次に、固定された位置にある接続ポート６１に対して、ＲＦコイル３１の設置位置を適
宜変更しても（すなわち、ＲＦコイル３１と接続ポート６１の間の距離が適宜変わっても
）、この間を接続する信号ケーブル３５が接触したり絡まったりすることを防止できるケ
ーブル裁き手段の実施例２について図４を参照して説明する。なお、図４は図３と同様の
平面図であり、同一部分には同一符号を付して示してある。
【００４９】
図４は、２つのガイド部材３７ａ、３７ｂを設けることによって、信号ケーブル３５が
接触したり絡まったりすることを防止するようにしたものである。ここで図４（ａ）は、
接続ポート６１にコネクタ３６を接続した状態で、ＲＦコイル３１を接続ポート６１から
離れた位置に設置した様子を示したものであり、図４（ｂ）はＲＦコイル３１を接続ポー
ト６１に近い位置に設置した場合を示したものである。なお、図４（ｂ）に示す矢印は、
ＲＦコイル３１の設置位置が適宜変えられることを表したものである。
【００５０】
この実施例２では、ＲＦコイル３１に接続ポート６１側へ延びるように第１のガイド部
材３７ａを設けるとともに、逆に、接続ポート６１にＲＦコイル３１側へ延びるように第
２のガイド部材３７ｂを設け、ＲＦコイル３１と接続ポート６１とを接続する信号ケーブ
ル３５を、両ガイド部材３７ａ、３７ｂの先端部分の間を横切るように通すようにしたも
のである。
【００５１】
従って、図４（ａ）に示すように、ＲＦコイル３１を接続ポート６１から離れた位置に
設置した場合は、信号ケーブル３５は略直線方向へ伸びる。一方、図４（ｂ）に示すよう
に、ＲＦコイル３１を接続ポート６１に近い位置に設置した場合は、信号ケーブル３５は
第１のガイド部材３７ａの先端部分と第２のガイド部材３７ｂの先端部分とによって屈曲
されて、たるみが出来ないように余分な長さを吸収することになる。そしてこの状態では
、信号ケーブル３５は両ガイド部材３７ａ、３７ｂに沿って屈曲するので、たるみが生じ
ることがなく屈曲した信号ケーブル３５が相互に接触することはない。
【００５２】
なお、第１のガイド部材３７ａおよび第２のガイド部材３７ｂを、天板５の上面に設け
る場合は、信号ケーブル３５も天板５の上面を這って、両ガイド部材３７ａ、３７ｂの先
端部分の間を横切るように通すことになるので、これらの上にマットを敷いて、マットの
上に被検体を寝かせることになる。或いは、被検体を寝かせるマットを中空のものとし、
このマット内に第１のガイド部材３７ａおよび第２のガイド部材３７ｂを配置させ、そこ
に信号ケーブル３５を這わせるようにしても良い。さらに、第１のガイド部材３７ａおよ
び第２のガイド部材３７ｂを、天板５の下面に設けるようにするとともに、信号ケーブル
３５も天板５の下面を這って、両ガイド部材３７ａ、３７ｂの先端部分の間を横切るよう
に通すようにすることも可能である。
【００５３】
この実施例２の場合に使用する信号ケーブル３５としては、図３で説明したような、引
っ張る力を加えないときには、予め記憶させた形状に縮んで最小の長さになるように形成
したものであっても良いし、または形状記憶させていない一般的なケーブルであっても良
い。
【００５４】
さて、図４に示した実施例２では、ＲＦコイル３１と接続ポート６１とを１本の信号ケ
ーブル３５で接続するように示したが、この信号ケーブル３５は１本だけに限られるもの
ではなく、複数本ある場合もある。そこで、ＲＦコイル３１と接続ポート６１とを接続す
る信号ケーブル３５が２本ある場合を図５に示してあるので、次に図５について説明する
。なお、図５（ａ）は図４（ａ）に、図５（ｂ）は図４（ｂ）にそれぞれ対応した図であ
る。
【００５５】
すなわち、図５には２本の信号ケーブル３５１、３５２が示されており、信号ケーブル
３５１、３５２毎に２つのガイド部材３７ａ１、３７ｂ１と、ガイド部材３７ａ２、３７
ｂ２が設けられている。そして、一方の信号ケーブル３５１は、ガイド部材３７ａ１と、
ガイド部材３７ｂ１の先端部分の間を横切るように通され、他方の信号ケーブル３５２は
、ガイド部材３７ａ２と、ガイド部材３７ｂ２の先端部分の間を横切るように通されてい
る。なお、一方の信号ケーブル３５１は接続コネクタ３６１によって接続ポート６１に接
続され、他方の信号ケーブル３５２は接続コネクタ３６２によって接続ポート６１に接続
されており、これらは対称的な位置に配置されている。従ってこの場合も、図４に示した
ものと同様に、各信号ケーブル３５１、３５２はそれぞれのガイド部材３７ａ１、３７ｂ
１またはガイド部材３７ａ２、３７ｂ２に沿って屈曲するので、たるみが生じることがな
く屈曲した信号ケーブル３５１、３５２が相互に接触することもない。
【実施例３】
【００５６】
次に、図６を参照して実施例３について説明する。
【００５７】
実施例３は、信号ケーブル３５を屈曲自在のケーブルガイド３５０に収納することによ
って、固定された位置にある接続ポート６１に対して、ＲＦコイル３１の設置位置を適宜
変更しても、この間を接続する信号ケーブル３５が接触したり絡まったりしないようにし
たものである。なお、図６はケーブルガイド３５０の一例を示したもので、図６（ａ）は
ケーブルガイド３５０の平面図であり、図６（ｂ）は側面図である。
【００５８】
すなわち、ケーブルガイド３５０は非導電体で形成され、断面がコの字状をした第１の
パーツ３５０ａと、平板状の第２のパーツ３５０ｂと連結用の軸３５０ｃと蓋部材（図示
せず）とから構成されている。そして、このケーブルガイド３５０は、断面がコの字状を
した第１のパーツ３５０ａの上面と下面にそれぞれ平板状の第２のパーツ３５０ｂを当て
て、軸３５０ｃで互いに回転可能に連結して帯状に形成したものであり、帯状のケーブル
ガイド３５０が軸３５０ｃによって自由に屈曲することができる。そして、このケーブル
ガイド３５０は、ＲＦコイル３１と接続ポート６１との間を接続する信号ケーブル３５の
長さと略同じ長さであれば良い。
【００５９】
このように形成されたケーブルガイド３５０の一端は、ＲＦコイル３１側に固定される
ものであり、他端は接続ポート６１側に固定される。そして、ＲＦコイル３１に接続され
た信号ケーブル３５が、このケーブルガイド３５０の開放されている側面側から内部に納
められる。さらに、第１のパーツ３５０ａの開放されている側面に、適宜図示しない蓋部
材を嵌め込むことによって、信号ケーブル３５がケーブルガイド３５０からはみ出さない
ようにされる。
【００６０】
従ってケーブルガイド３５０は、ＲＦコイル３１が接続ポート６１から最も離れた位置
に配置された場合にほぼ直線状態となり、ＲＦコイル３１が接続ポート６１側に近づいて
配置されるに従って途中で折り返すように所定の曲率を維持した状態となって信号ケーブ
ル３５をガイドすることになる。よって、信号ケーブル３５がたるんだり絡まったりする
ことはなく、相互に接触することもない。
【００６１】
以上詳述したように、本発明によれば、ＲＦコイルと接続ポートとの間を接続する信号
ケーブルを、ケーブル捌き機構の溝に沿って敷設するような面倒な手間から開放されるの
で医療スタッフの負担を軽減できるとともに、信号ケーブルが被検体に接触したり絡まっ
たりすることも防止され、再構成される画像の画質を低下させるようなことも防止できる
磁気共鳴イメージング装置が提供される。
【図面の簡単な説明】
【００６２】
【図１】本発明に係る磁気共鳴イメージング装置の一実施例の全体構成を示すブロック図である。
【図２】ＲＦコイルを接続ポートに接続するための信号ケーブルについて、その基本的な考え方を説明するために示した説明図である。
【図３】本発明で使用される信号ケーブルの一例を示した平面図である。（実施例１）
【図４】ケーブル捌き手段の実施例を示した平面図である。（実施例２）
【図５】ケーブル捌き手段の他の態様を示した平面図である。
【図６】ケーブル捌き手段の他の実施例を示した平面図である。（実施例３）
【図７】従来のケーブル捌き機構を示した平面図である。
【符号の説明】
【００６３】
５  天板
６  ＲＦコイル支持体
３１  ＲＦコイル
３５  信号ケーブル
３６  コネクタ
３７ａ，３７ｂ  ガイド部材
６１  接続ポート
１５０  被検体
【図１】
0005342149.tif 000002
【図２】
0005342149.tif 000003
【図３】
0005342149.tif 000004
【図４】
0005342149.tif 000005
【図５】
0005342149.tif 000006
【図６】
0005342149.tif 000007
【図７】
0005342149.tif 000008